【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】  移動ステーションと、テレコミュニケーションサービスを提供する少なくとも１つのコアネットワークと、これら移動ステーションとコアネットワークとの間に接続を与える無線アクセスネットワークとを備え、移動ステーションの位置に関する移動テレコミュニケーションシステム情報が無線アクセスネットワークに記憶される移動テレコミュニケーションシステムにおける位置管理方法において、
ある位置エリアの精度で上記無線アクセスネットワークにおける移動ステーションの位置を追跡し、
少なくとも１つの位置エリアを含む報告エリアを決定し、
移動ステーションの位置の変化をある報告エリアの精度でコアネットワークに報告する、
という段階を含むことを特徴とする方法。
【請求項２】  複数の位置精度レベルが定義され、各位置精度レベルは、異なるサイズの位置エリアを有し、そして無線アクセスネットワークは、移動ステーションの追跡に使用されるべきこれら精度レベルの１つを選択する請求項１に記載の方法。
【請求項３】  上記報告エリアは、１位置の精度レベルの位置エリアである請求項２に記載の方法。
【請求項４】  上記無線アクセスネットワークは、移動ステーションを使用している加入者によって現在利用されているサービスに基づいて位置精度レベルを選択する請求項２に記載の方法。
【請求項５】  上記無線アクセスネットワークは、コアネットワークにより与えられるサービスパラメータに基づいて位置精度レベルを選択する請求項２に記載の方法。
【請求項６】  上記無線アクセスネットワークは、移動ステーションを使用している加入者の過去の振舞いに基づいて位置精度レベルを選択する請求項２に記載の方法。
【請求項７】  加入者の振舞いは、移動ステーションを探索するために無線アクセスネットワークが実行したページングの数と、移動ステーションが実行した位置更新の数とに基づいて決定される請求項６に記載の方法。
【請求項８】  上記無線アクセスネットワークは、移動ステーションを追跡するときに使用すべき位置精度レベルを移動ステーションに通知する請求項２に記載の方法。
【請求項９】  上記コアネットワークは、移動ステーションが新たな報告エリアへと移動するときに移動ステーションがそれ自身を再認証することを要求する請求項１に記載の方法。
【請求項１０】  上記移動ステーションは、異なる報告エリアにおいて異なるサービスを受ける権利が与えられる請求項１に記載の方法。
【請求項１１】  上記移動ステーションは、異なる報告エリアにおいて異なるクオリティのサービスを受ける権利が与えられる請求項１に記載の方法。
【請求項１２】  上記コアネットワーク及び無線アクセスネットワークは、使用すべき報告エリアのサイズについて交渉する請求項１に記載の方法。
【請求項１３】  上記交渉は、サービスがアクチベートするときに行なわれる請求項１２に記載の方法。
【請求項１４】  上記交渉は、サービスがアクチベートされた状態にあるときに行なわれる請求項１２に記載の方法。
【請求項１５】  移動ステーションを使用している加入者が契約したサービスに対する異なるサービスエリアのサービスパラメータを指定して、コアネットワークに記憶し、
上記移動ステーションは、新たな報告エリアに入るときに位置更新手順を開始し、
位置更新の受信に応答して、無線アクセスネットワークは、移動ステーションの新たな位置情報をコアネットワークに送り、
上記コアネットワークは、上記新たな位置情報を受け取って、加入者の新たなサービスエリアを決定し、その新たなサービスエリアにおいて加入者が受ける権利のあるサービスのサービスパラメータをチェックし、そしてその新たなサービスパラメータに関する無線アクセスネットワーク情報を送信し、そして
無線アクセスネットワークは、新たなサービスパラメータに関する情報を受け取り、そして移動ステーションに応答を送信することにより位置更新手順を完了する請求項１に記載の方法。
【請求項１６】  報告エリアの構成は、サービスエリアの構成と同じであり、
上記サービスエリアの構成に関する情報は、移動ステーションに記憶され、そして新たなサービスエリアに入るときに、移動ステーションは、位置更新手順を開始して、新たな位置情報をコアネットワークに送るように無線アクセスネットワークに命令し、そして
無線アクセスネットワークは、その位置情報をコアネットワークに送る請求項１に記載の方法。
【請求項１７】  サービスエリア構成に関する情報は、セルのリストとして与えられる請求項１６に記載の方法。
【請求項１８】  サービスエリア構成に関する情報は、サービスエリアの座標として与えられ、そして移動ステーションは、その座標を観察し、新たなサービスエリアに入るときに位置更新を開始する請求項１６に記載の方法。
【請求項１９】  移動ステーションと、テレコミュニケーションサービスを提供する少なくとも１つのコアネットワークと、これら移動ステーションとコアネットワークとの間に接続を与える無線アクセスネットワークとを備え、移動ステーションの位置に関する移動テレコミュニケーションシステム情報が無線アクセスネットワークに記憶される移動テレコミュニケーションシステムにおける無線アクセスネットワーク用のネットワーク要素において、このネットワーク要素は、
ある位置エリアの精度で移動ステーションを追跡し、そして
移動ステーションの位置の変化を少なくとも１つの位置エリアを含むある報告エリアの精度でコアネットワークに報告する、
ように構成されたことを特徴とするネットワーク要素。
【請求項２０】  上記ネットワーク要素は、更に、報告エリアのサイズをコアネットワークと交渉するように構成される請求項１９に記載のネットワーク要素。
【請求項２１】  移動ステーションと、テレコミュニケーションサービスを提供する少なくとも１つのコアネットワークと、移動ステーションとコアネットワークとの間に接続を与える無線アクセスネットワークとを備え、移動ステーションの位置に関する移動テレコミュニケーションシステム情報が無線アクセスネットワークに記憶される移動テレコミュニケーションシステム用の無線アクセスネットワークにおいて、この無線アクセスネットワークは、
ある位置エリアの精度で移動ステーションを追跡し、そして
移動ステーションの位置の変化を少なくとも１つの位置エリアを含むある報告エリアの精度でコアネットワークに報告する、
ように構成されたことを特徴とする無線アクセスネットワーク。
【請求項２２】  上記無線アクセスネットワークは、更に、報告エリアのサイズをコアネットワークと交渉するように構成される請求項２１に記載の無線アクセスネットワーク。
【請求項２３】  移動ステーションと、テレコミュニケーションサービスを提供する少なくとも１つのコアネットワークと、移動ステーションとコアネットワークとの間に接続を与える無線アクセスネットワークとを備え、移動ステーションの位置に関する移動テレコミュニケーションシステム情報が、ある位置エリアの精度で無線アクセスネットワークに記憶される移動テレコミュニケーションシステム用のコアネットワークにおいて、上記コアネットワークは、
移動ステーションの位置の変化を報告するメッセージを少なくとも１つの位置エリアを含むある報告エリアの精度で受け取り、そして
その報告された位置に基づいて移動ステーションの現在サービスエリアを決定する、
ように構成されたことを特徴とするコアネットワーク。
【請求項２４】  上記コアネットワークは、更に、報告エリアのサイズを無線アクセスネットワークと交渉するように構成される請求項２３に記載のコアネットワーク。
【請求項２５】  移動ステーションと、テレコミュニケーションサービスを提供する少なくとも１つのコアネットワークと、移動ステーションとコアネットワークとの間に接続を与える無線アクセスネットワークとを備え、移動ステーションの位置に関する移動テレコミュニケーションシステム情報が、ある位置エリアの精度で無線アクセスネットワークに記憶される移動テレコミュニケーションシステム用の移動ステーションにおいて、この移動ステーションは、
加入者のサービスエリアに関する情報を記憶し、サービスエリアの構成は、報告エリアの構成と同じであり、そして
新たな報告エリアに入るときに、位置更新手順を開始すると共に、新たな位置情報をコアネットワークへ送るように無線アクセスネットワークに命令する、
ように構成されたことを特徴とする移動ステーション。